(57)【要約】【課題】第２の記録方式で記録されたテープを再生し、その再生信号をＤＶＤへ記録するとき、第２の記録方式が有する再生画質の劣化を軽減し、ＤＶＤへダビングすることができる映像信号記録再生装置を提供することを目的とする。【解決手段】磁気記録再生装置で第２の記録方式で記録されたテープを再生し、その再生信号をＤＶＤに記録する場合、第２の記録方式で記録されたテープから再生した輝度信号と搬送色信号を出力する輝度信号出力切換部、搬送色信号切換部、複合映像信号切換部をディスク記録再生部の出力の輝度信号、搬送色信号とその輝度信号と搬送色信号を混合した複合映像信号側に固定して出力することにより、再生した輝度信号と搬送色信号の出力に必要とするノイズリダクションを削除し、ディスク記録再生部に有するノイズリダクション部だけでノイズを抑圧してＤＶＤに記録できる。【選択図】図１
2005311425.tif 000002
【特許請求の範囲】
【請求項１】
第１あるいは第２の記録方式にて映像信号が記録された第１の記録媒体を再生可能な再生手段と、前記再生手段で再生された映像信号を第２の記録媒体に記録する記録手段とを備え、前記記録手段にのみ雑音除去手段を備えたことを特徴とする映像信号記録再生装置。
【請求項２】
第１の記録方式あるいは、前記第１の記録方式よりも輝度信号帯域が広い第２の記録方式にて映像信号が記録された第１の記録媒体を再生可能な再生手段と、前記再生手段で再生された映像信号を第２の記録媒体に記録する記録手段と、前記再生手段から出力された映像信号のノイズを除去する第２の雑音除去手段と、前記記録手段内に設けられ前記第２の雑音除去手段から出力された映像信号のノイズを除去する第１の雑音除去手段とを備え、前記第１の記録方式による映像信号の再生時は前記第１及び第２の雑音除去手段にてノイズ除去を行い、前記第２の記録方式による映像信号の再生時には前記第１の雑音除去手段にてノイズ除去を行うことを特徴とする映像信号記録再生装置。
【請求項３】
輝度信号を周波数変調して得た被周波数変調輝度信号と搬送色信号を低域へ周波数変換して得た低域変換色信号とを各々周波数分割多重して記録し、再生時には被周波数変調輝度信号は輝度信号に復調し、低域変換色信号は搬送色信号に逆変換される磁気記録再生装置とＤＶＤ記録再生装置を融合した映像信号記録再生装置であって、磁気記録信号再生時は、ヘッドから再生された被周波数変調輝度信号と低域変換色信号を第１の記録方式と第２の記録方式を切り換えて再生する第１の記録方式と第２の記録方式の再生信号切換部と、前記第１の記録方式と第２の記録方式の再生信号切換部へ第１の記録方式を再生して出力する第１の記録方式再生部と、前記第１の記録方式と第２の記録方式の再生信号切換部へ第２の記録方式を再生して出力する第２の記録方式再生部と、前記第１の記録方式と第２の記録方式の再生信号切換部より出力する輝度信号と搬送色信号をＤＶＤに記録するディスク記録再生部と、前記第１の記録方式と第２の記録方式の再生信号切換部より出力する輝度信号と搬送色信号のノイズと時間軸変動を抑圧して出力するディスク記録再生部と、前記ディスク記録再生部より出力する輝度信号と搬送色信号を混合して出力する第２のＹＣ−ＭＩＸ部と、前記第１の記録方式と第２の記録方式の再生信号切換部より出力する輝度信号と搬送色信号を混合して出力する第１のＹＣ−ＭＩＸ部と、第２の記録方式再生するときは前記第２のＹＣ−ＭＩＸ部出力を選択し、第１の記録方式を再生するときは、前記第１のＹＣ−ＭＩＸ部の出力を選択する複合映像信号切換部と、第２の記録方式再生するときは前記ディスク記録再生部より出力する輝度信号を選択し、第１の記録方式を再生するときは、前記第１の記録方式と第２の記録方式の再生信号切換部より出力する輝度信号を選択する輝度信号切換部と、第２の記録方式再生するときは前記ディスク記録再生部より出力する搬送色信号を選択し、第１の記録方式を再生するときは、前記第１の記録方式と第２の記録方式の再生信号切換部より出力する搬送色信号を選択する搬送色信号切換部とを備えた映像信号記録再生装置。
【発明の詳細な説明】
【技術分野】
【０００１】
本発明は、映像信号記録再生装置における再生手段およびダビングに関するものである。
【背景技術】
【０００２】
近年、ＶＨＳ方式（日本ビクター株式会社の商標）等の第１の記録方式及び、Ｓ−ＶＨＳ方式（日本ビクター株式会社の商標）等の第２の記録方式が存在する。従来から第１の記録方式によって記録されたテープは、多く存在する。一方、第２の記録方式によって記録されたテープも多く存在している。Ｓ−ＶＨＳ方式とは、ＶＨＳを高画質化した規格。輝度信号の記録帯域をＶＨＳのおよそ１．６倍に拡大し、水平解像度４００本での記録を可能にしているものである。よって、ＶＨＳ方式である第１の記録方式よりも、Ｓ−ＶＨＳ方式である第２の記録方式の方が高画質となり、他の記録媒体へのダビングの際にも、高画質の状態でダビングした方が有利である。
【０００３】
ところで最近では、第１の記録方式の磁気記録再生装置とＤＶＤの記録再生装置との融合機が出現するようになった。このため、テープからＤＶＤへのダビングに関する機能が重要視されてきている。
【０００４】
以下に従来の映像信号記録再生装置について図を用いて説明する。
【０００５】
図２は、従来の映像信号記録再生装置の構成を示すブロック図である。図２において、１は入力端子、２は磁気記録信号再生部、２６は第２のノイズリダクション部、１５は第１のＹＣ−ＭＩＸ部、２５はディスク記録再生部、１６は第２のＹＣ−ＭＩＸ部、１７は複合映像信号切換部、１９は搬送色信号切換部、２１は輝度信号切換部である。
【０００６】
以上のように構成された映像信号記録再生装置について、以下その動作について説明する。
【０００７】
まず、第１の記録方式（ＶＨＳ方式）で記録されたテープを再生し、その再生信号をＤＶＤへの記録する場合とその再生信号を出力する場合について考える。まず、ビデオヘッドから再生された被周波数変調輝度信号と低域変換色信号との周波数分割多重信号は入力端子１に入る。入力端子１から入力された映像信号は、再生信号切換部５に入力され、その映像信号が第１の記録方式によるものか第２の記録方式によるものかを判別する。このようなＶＨＳとＳＶＨＳとの判別方法については、例えば特開平８−０５１５９３号公報（特許文献２）や特開平８−１４００５２号公報（特許文献３）に開示されているため、ここでの説明は省略する。
【０００８】
次に、再生信号切換部５と第１の記録方式再生部３で、被周波数変調輝度信号を輝度信号に復調し、低域変換色信号を搬送色信号に逆変換し、第２のノイズリダクション部６に供給する。第２のノイズリダクション部６で輝度信号と搬送色信号のノイズを抑圧し、輝度信号と搬送色信号はディスク記録再生部と第１のＹＣ−ＭＩＸ部１５に供給する。
【０００９】
第１のＹＣ−ＭＩＸ部１５は輝度信号と搬送色信号を混合し複合映像信号切換部１７に供給する。また、第２のノイズリダクション部６の出力の搬送色信号は搬送色信号切換部１９に供給され、第２のノイズリダクション部６の出力の輝度信号は輝度信号切換部２１に供給する。
【００１０】
ディスク記録再生部２５に入力された輝度信号と搬送色信号はＡＤ部７に供給する。ＡＤ部７では、輝度信号と搬送色信号をデジタルデータに変換し第１のノイズリダクション部８に供給する。第１のノイズリダクション部８では、輝度信号と色信号のノイズを抑圧しＴＢＣ部９に供給する。ＴＢＣ部９では、輝度信号の時間軸変動を抑圧しＭＰＥＧエンコーダ部１０に供給する。ＭＰＥＧエンコーダ部１０では、ビデオデータをＭＰＥＧのビデオ圧縮データに変換しストリームコントローラ部１１に供給する。ストリームコントローラ部１１では、記録されるビデオ圧縮データを含むビデオストリームを制御し、ＤＶＤドライブに供給しＤＶＤ１２に記録している。
【００１１】
一方、複合映像信号切換部１７は、出力切換制御信号２３によりａ側に接続され、第１のＹＣ−ＭＩＸ部１５の出力の複合映像信号を選択し出力される。また、搬送色信号切換部１９は、出力切換制御信号２３によりａ側に接続され、第２のノイズリダクション部６の出力の搬送色信号を選択し出力し、輝度信号切換部２１は出力制御信号２３によりａ側に接続され、第２のノイズリダクション部６の出力の輝度信号を選択し出力する。
【００１２】
次に、第２の記録方式（Ｓ−ＶＨＳ方式）で記録されたテープを再生し、その再生信号をＤＶＤへの記録する場合とその再生信号を出力する場合について考える。基本的には前述の第１の記録方式で記録されたテープを再生する際の動作と同等である。
【００１３】
まず、ビデオヘッドから再生された被周波数変調輝度信号と低域変換色信号との周波数分割多重信号は入力端子１に入る。第１の記録方式と第２の記録方式の再生信号切換部５と第２の記録方式再生部４では被周波数変調輝度信号を輝度信号に復調し、低域変換色信号を搬送色信号に逆変換し、第２のノイズリダクション部６に供給する。第２のノイズリダクション部６で輝度信号と搬送色信号のノイズを抑圧し、輝度信号と搬送色信号はディスク記録再生部と第１のＹＣ−ＭＩＸ部１５に供給する。
【００１４】
第１のＹＣ−ＭＩＸ部１５は輝度信号と搬送色信号を混合し複合映像信号切換部１７に供給する。また、第２のノイズリダクション部６の出力の搬送色信号は搬送色信号切換部１９に供給され、第２のノイズリダクション部６の出力の輝度信号は輝度信号切換部２１に供給する。
【００１５】
ディスク記録再生部２５に入力された輝度信号と搬送色信号はＡＤ部７に供給する。ＡＤ部７では、輝度信号と搬送色信号をデジタルデータに変換し第１のノイズリダクション部８に供給する。第１のノイズリダクション部８では、輝度信号と色信号のノイズを抑圧しＴＢＣ部９に供給する。ＴＢＣ部９では、輝度信号の時間軸変動を抑圧しＭＰＥＧエンコーダ部１０に供給する。ＭＰＥＧエンコーダ部１０では、ビデオデータをＭＰＥＧのビデオ圧縮データに変換しストリームコントローラ部１１に供給する。ストリームコントローラ部１１では、記録されるビデオ圧縮データを含むビデオストリームを制御し、ＤＶＤドライブに供給しＤＶＤに記録している。
【００１６】
一方、複合映像信号切換部１７は、出力切換制御信号２３によりａ側に接続され、第１のＹＣ−ＭＩＸ部１５の出力の複合映像信号を選択し出力される。また、搬送色信号切換部１９は、出力切換制御信号２３によりａ側に接続され、第２のノイズリダクション部６の出力の搬送色信号を選択し出力し、輝度信号切換部２１は出力制御信号２３によりａ側に接続され、第２のノイズリダクション部６の出力の輝度信号を選択し出力する。
【特許文献１】特開平７−３０７９１７号公報
【特許文献２】特開平８−０５１５９３号公報
【特許文献３】特開平８−１４００５２号公報
【発明の開示】
【発明が解決しようとする課題】
【００１７】
しかしながら、上記の従来の構成では、第２のノイズリダクション部６と第１のノイズリダクション部８の二度のノイズリダクションが入る構成となっており、第１の記録方式（ＶＨＳ）によって記録されたテープを再生した時には有効であるが、第２の記録方式（Ｓ−ＶＨＳ）で記録されたテープを再生した時には、ノイズリダクション部では、ノイズを抑圧すると同時に信号成分も抑圧されるため、折角Ｓ−ＶＨＳの高画質で記録された映像信号が、再生時に画質が劣化する問題点を有していた。さらに上記のように画質が劣化した状態でＤＶＤなどのデジタルメディアにダビングすると、画質が低下した状態でダビングしてしまうという問題点もあった。
【００１８】
本発明は上記問題点を鑑み、第２の記録方式の映像信号をダビングする際に、信号の劣化を抑える映像信号記録再生装置を提供することを目的とする。
【課題を解決するための手段】
【００１９】
本発明は、上記従来の問題点解決するもので、磁気記録再生装置で第２の記録方式で記録されたテープを再生し、その再生信号をＤＶＤに記録する場合、第２の記録方式で記録されたテープから再生した輝度信号と搬送色信号を出力する輝度信号出力切換部、搬送色信号切換部、複合映像信号切換部をディスク記録再生部の出力の輝度信号、搬送色信号とその輝度信号と搬送色信号を混合した複合映像信号側に固定して出力することにより、再生した輝度信号と搬送色信号の出力に必要としていたノイズリダクションを削除し、ディスク記録再生部に有するノイズリダクション部だけでノイズを抑圧してＤＶＤに記録できることを特徴とする。
【発明の効果】
【００２０】
本発明の磁気記録再生装置とＤＶＤの記録再生装置とが融合する映像信号記録再生装置は、磁気記録再生装置で第２の記録方式で記録されたテープを再生する場合、その出力に必要としていたノイズリダクションを削除できるという利点がある。よって、第２の記録方式（Ｓ−ＶＨＳ）で記録されたテープを再生した際に、高画質のままでノイズリダクションによってノイズが除去された理想的な映像信号を出力することができるという優れた効果を奏するものである。
【００２１】
さらに、これをダビング装置に用いると、高画質のままでダビングが可能になるという優れた効果を奏することができる。
【発明を実施するための最良の形態】
【００２２】
磁気記録再生装置とＤＶＤの記録再生装置とが融合する映像信号記録再生装置において、第２の記録方式で記録されたテープをＤＶＤへ記録する場合に、第２の記録方式を再生する回路を追加するだけで、第２の記録方式の画質を保ちＤＶＤへ記録するという目的を、最小の部品点数で画質を損なわずに実現した。
【００２３】
（実施の形態１）
図１は、本発明の映像信号記録再生装置の構成を示すブロック図である。なお、本実施の形態は、ビデオテープカセットを装填可能で磁気テープに対して映像信号などの情報の記録再生が可能な磁気記録再生部２と、記録型ＤＶＤ（デジタル多用途ディスク）やＨＤＤ（ハードディスクドライブ）などのディスク状記録媒体に対して映像信号などの情報の記録再生が可能なディスク記録再生部２５とを備え、磁気記録再生部２からディスク記録再生部２５に対して映像信号などの情報信号のダビングをする際に有効になる発明である。なお、本実施の形態では、磁気記録再生部２とディスク記録再生部２５とを一つの筐体内に配したことを前提としているが、別個であっても構わない。また、ディスク記録再生部２５において記録再生可能な媒体はＤＶＤやＨＤＤなどのディスク状記録媒体に限らず、テープ状媒体やその他の媒体であっても構わない。
【００２４】
図１において、２は磁気記録信号再生部で、以下の構成を備えている。１はヘッド（図示せず）を用いて磁気テープなどの記録媒体（図示せず）から再生された映像信号が入力される入力端子、５は入力端子１から入力される映像信号が第１の記録方式（ＶＨＳ方式）か第２の記録方式（Ｓ−ＶＨＳ方式）かを判別して処理を切り換える再生信号切換部で、具体的な方式判別方法については、例えば特開平８−０５１５９３号公報（特許文献２）や特開平８−１４００５２号公報（特許文献３）に開示されているため、ここでの説明は省略する。３は再生信号切換部５で入力された映像信号が第１の記録方式（ＶＨＳ方式）によるものである場合にそれに応じた各種信号処理を施して再生する第１の記録方式再生部、４は再生信号切換部５で入力された映像信号が第２の記録方式（Ｓ−ＶＨＳ方式）によるものである場合にそれに応じた各種信号処理を施して再生する第２の記録方式再生部である。
【００２５】
２５はディスク記録再生部で、以下の構成を備えている。７は磁気記録再生部２の再生信号切換部５から出力される輝度信号及び搬送色信号を入力としデジタル信号に変換するアナログデジタル変換部（以下ＡＤ部と記す）、１０８はＡＤ部７からの映像信号に含まれるノイズ成分を除去するノイズリダクション部、９は輝度信号の時間軸変動を抑圧するＴＢＣ部、１０はＴＢＣ部９からの映像信号を所定の圧縮方式にて圧縮するＭＰＥＧエンコーダで、本実施の形態では圧縮方式はＭＰＥＧを用いた。１１はＭＰＥＧエンコーダ１０から出力される圧縮映像信号からストリームを生成するストリームコントローラ、１２はストリームコントローラ１１から出力される映像ストリームが記録されるディスクで、本実施の形態ではＤＶＤを用いたが、ＨＤＤなどの他のデジタル記録媒体であっても構わない。１３はディスク１２から映像ストリームを再生した時ＭＰＥＧ圧縮された映像信号をデコードするＭＰＥＧデコーダ、１４はＴＢＣ部９からの映像信号あるいはＭＰＥＧデコーダ１３からの映像信号をＮＴＳＣ方式あるいはＰＡＬ方式にエンコードしアナログ信号に変換するデジタルアナログ変換部（以下、ＤＡ部と記す）である。
【００２６】
１５は第１のＹＣ−ＭＩＸ部、１６は第２のＹＣ−ＭＩＸ部、１７は複合映像信号切換部、１９は搬送色信号切換部、２１は輝度信号切換部である。２４は再生信号切換部５と複合映像信号切換部１７と搬送色信号切換部１９と輝度信号切換部２１の切換制御を行う制御信号である。
【００２７】
以上のように構成された本実施の形態の映像信号記録再生装置について、以下その動作について説明する。
【００２８】
第１の記録方式（ＶＨＳ方式）で記録されたテープを再生し、その再生信号をＤＶＤへの記録する場合とその再生信号を出力する場合について説明する。
【００２９】
まず、ビデオヘッドから再生された被周波数変調輝度信号と低域変換色信号との周波数分割多重信号は入力端子１に入る。第２の記録方式再生制御信号２４により、再生信号切換部５と第１の記録方式再生部３では被周波数変調輝度信号を輝度信号に復調し、低域変換色信号を搬送色信号に逆変換し、輝度信号と搬送色信号をディスク記録再生部と第１のＹＣ−ＭＩＸ部１５に供給する。第１のＹＣ−ＭＩＸ部１５は輝度信号と搬送色信号を混合し複合映像信号切換部１７に供給する。また、第１の記録方式と第２の記録方式の再生信号切換部５の出力の搬送色信号は搬送色信号切換部１９に供給され、第１の記録方式と第２の記録方式の再生信号切換部５の出力の輝度信号は輝度信号切換部２１に供給する。
【００３０】
再生信号切換部５からディスク記録再生部２５に入力された輝度信号と搬送色信号はＡＤ部７に供給する。ＡＤ部７では、輝度信号と搬送色信号をデジタルデータに変換し第１のノイズリダクション部１０８に供給する。第１のノイズリダクション部１０８では、輝度信号と色信号のノイズを抑圧しＴＢＣ部９に供給する。ＴＢＣ部９では、輝度信号の時間軸変動を抑圧しＭＰＥＧエンコーダ部１０とＮＴＳＣ／ＰＡＬエンコーダ部１４に供給する。ＭＰＥＧエンコーダ部１０では、ビデオデータをＭＰＥＧのビデオ圧縮データに変換しストリームコントローラ部１１に供給する。ストリームコントローラ部１１では、記録されるビデオ圧縮データを含むビデオストリームを制御し、ＤＶＤドライブに供給しＤＶＤに記録している。
【００３１】
一方、ＮＴＳＣ方式／ＰＡＬ方式エンコーダ部１４では、ＴＢＣ部９の出力のデジタルビデオデータをＮＴＳＣ方式あるいはＰＡＬ方式のアナログ輝度信号と搬送色信号に変換され第２のＹＣ−ＭＩＸ部１６、搬送色信号切換部１９と輝度信号切換部２１に供給される。複合映像信号切換部１７では、第１の記録方式を再生しているため第２の記録方式再生制御信号２４により、ａ端子を選択し出力し、搬送色信号切換部１９では、第１の記録方式を再生しているため第２の記録方式再生制御信号２４により、ａ端子を選択し出力し、輝度信号切換部２１では、第１の記録方式を再生しているため第２の記録方式再生制御信号２４により、ａ端子を選択し出力する。
【００３２】
次に、第２の記録方式（Ｓ−ＶＨＳ方式）で記録されたテープを再生し、その再生信号をＤＶＤへの記録する場合とその再生信号を出力する場合について説明する。
【００３３】
まず、ビデオヘッドから再生された被周波数変調輝度信号と低域変換色信号との周波数分割多重信号は入力端子１に入る。第２の記録方式再生制御信号２４により、第１の記録方式と第２の記録方式の再生信号切換部５と第２の記録方式再生部４では被周波数変調輝度信号を輝度信号に復調し、低域変換色信号を搬送色信号に逆変換し、輝度信号と搬送色信号をディスク記録再生部と第１のＹＣ−ＭＩＸ部１５に供給する。第１のＹＣ−ＭＩＸ部１５は輝度信号と搬送色信号を混合し複合映像信号切換部１７に供給する。また、第１の記録方式と第２の記録方式の再生信号切換部５の出力の搬送色信号は搬送色信号切換部１９に供給され、第１の記録方式と第２の記録方式の再生信号切換部５の出力の輝度信号は輝度信号切換部２１に供給する。ディスク記録再生部２５に入力された輝度信号と搬送色信号はＡＤ部７に供給する。ＡＤ部７では、輝度信号と搬送色信号をデジタルデータに変換し第１のノイズリダクション部１０８に供給する。第１のノイズリダクション部１０８では、輝度信号と色信号のノイズを抑圧しＴＢＣ部９に供給する。ＴＢＣ部９では、輝度信号の時間軸変動を抑圧しＭＰＥＧエンコーダ部１０とＮＴＳＣ／ＰＡＬエンコーダ部１４に供給する。ＭＰＥＧエンコーダ部１０では、ビデオデータをＭＰＥＧのビデオ圧縮データに変換しストリームコントローラ部１１に供給する。ストリームコントローラ部１１では、記録されるビデオ圧縮データを含むビデオストリームを制御し、ＤＶＤドライブに供給しＤＶＤに記録している。
【００３４】
一方、ＮＴＳＣ方式／ＰＡＬ方式エンコーダ部１４では、ＴＢＣ部９の出力のデジタルビデオデータをＮＴＳＣ方式あるいはＰＡＬ方式のアナログ輝度信号と搬送色信号に変換され第２のＹＣ−ＭＩＸ部１６、搬送色信号切換部１９と輝度信号切換部２１に供給される。複合映像信号切換部１７では、第２の記録方式を再生しているため第２の記録方式再生制御信号２４により、ｂ端子を選択し出力し、搬送色信号切換部１９では、第２の記録方式を再生しているため第２の記録方式再生制御信号２４により、ｂ端子を選択し出力し、輝度信号切換部２１では、第２の記録方式を再生しているため第２の記録方式再生制御信号２４により、ｂ端子を選択し出力する。
【００３５】
以上のように本実施の形態によれば、磁気記録再生部で第２の記録方式で記録されたテープを再生し、その再生信号をＤＶＤに記録する場合、第２の記録方式で記録されたテープから再生した輝度信号と搬送色信号を出力する輝度信号出力切換部、搬送色信号切換部、複合映像信号切換部をディスク記録再生部の出力の輝度信号、搬送色信号とその輝度信号と搬送色信号を混合した複合映像信号側に固定して出力することにより、再生した輝度信号と搬送色信号の出力に必要とするノイズリダクションを削除し、ディスク記録再生部に有するノイズリダクション部だけでノイズを抑圧してＤＶＤに記録できる。これにより、従来のように二重ノイズリダクションによる、信号劣化を防止することができる。
【００３６】
（実施の形態２）
図３は、本発明の映像信号記録再生装置の構成の実施の形態２を示すブロック図である。なお、本実施の形態は、ビデオテープカセットを装填可能で磁気テープに対して映像信号などの情報の記録再生が可能な磁気記録再生部２と、記録型ＤＶＤ（デジタル多用途ディスク）やＨＤＤ（ハードディスクドライブ）などのディスク状記録媒体に対して映像信号などの情報の記録再生が可能なディスク記録再生部２５とを備え、磁気記録再生部２からディスク記録再生部２５に対して映像信号などの情報信号のダビングをする際に有効になる発明である。なお、本実施の形態では、磁気記録再生部２とディスク記録再生部２５とを一つの筐体内に配したことを前提としているが、別個であっても構わない。また、ディスク記録再生部２５において記録再生可能な媒体はＤＶＤやＨＤＤなどのディスク状記録媒体に限らず、テープ状媒体やその他の媒体であっても構わない。
【００３７】
図３において、２は磁気記録信号再生部で、以下の構成を備えている。１はヘッド（図示せず）を用いて磁気テープなどの記録媒体（図示せず）から再生された映像信号が入力される入力端子、５は入力端子１から入力される映像信号が第１の記録方式（ＶＨＳ方式）か第２の記録方式（Ｓ−ＶＨＳ方式）かを判別して処理を切り換える再生信号切換部で、具体的な方式判別方法については、例えば特開平８−０５１５９３号公報（特許文献２）や特開平８−１４００５２号公報（特許文献３）に開示されているため、ここでの説明は省略する。３は再生信号切換部５で入力された映像信号が第１の記録方式（ＶＨＳ方式）によるものである場合にそれに応じた各種信号処理を施して再生する第１の記録方式再生部、４は再生信号切換部５で入力された映像信号が第２の記録方式（Ｓ−ＶＨＳ方式）によるものである場合にそれに応じた各種信号処理を施して再生する第２の記録方式再生部である。
【００３８】
２５はディスク記録再生部で、以下の構成を備えている。７は磁気記録再生部２の再生信号切換部５から出力される輝度信号及び搬送色信号を入力としデジタル信号に変換するアナログデジタル変換部（以下ＡＤ部と記す）、１０８はＡＤ部７からの映像信号に含まれるノイズ成分を除去するノイズリダクション部、９は輝度信号の時間軸変動を抑圧するＴＢＣ部、１０はＴＢＣ部９からの映像信号を所定の圧縮方式にて圧縮するＭＰＥＧエンコーダで、本実施の形態では圧縮方式はＭＰＥＧを用いた。１１はＭＰＥＧエンコーダ１０から出力される圧縮映像信号からストリームを生成するストリームコントローラ、１２はストリームコントローラ１１から出力される映像ストリームが記録されるディスクで、本実施の形態ではＤＶＤを用いたが、ＨＤＤなどの他のデジタル記録媒体であっても構わない。１３はディスク１２から映像ストリームを再生した時ＭＰＥＧ圧縮された映像信号をデコードするＭＰＥＧデコーダ、１４はＴＢＣ部９からの映像信号あるいはＭＰＥＧデコーダ１３からの映像信号をＮＴＳＣ方式あるいはＰＡＬ方式にエンコードしアナログ信号に変換するデジタルアナログ変換部（以下、ＤＡ部と記す）である。
【００３９】
１５は第１のＹＣ−ＭＩＸ部、１６は第２のＹＣ−ＭＩＸ部、１７は複合映像信号切換部、１９は搬送色信号切換部、２１は輝度信号切換部である。２４は再生信号切換部５と複合映像信号切換部１７と搬送色信号切換部１９と輝度信号切換部２１の切換制御を行う制御信号である。
【００４０】
１０６は再生信号切換部５からの映像信号に対してノイズ除去を行うノイズリダクション部、１０５はノイズリダクション部１０６に対する入力可否を切り換えるスイッチ群で、入力される映像信号が第１の記録方式の場合はそれぞれ端子ａ側に接続し、第２の記録方式の場合はそれぞれ端子ｂ側に接続する。切換制御は、別途入力される制御信号によって行われる。
【００４１】
以上のように構成された本実施の形態の映像信号記録再生装置について、以下その動作について説明する。
【００４２】
第１の記録方式（ＶＨＳ方式）で記録されたテープを再生し、その再生信号をＤＶＤへの記録する場合とその再生信号を出力する場合について説明する。
【００４３】
まず、ビデオヘッドから再生された被周波数変調輝度信号と低域変換色信号との周波数分割多重信号は入力端子１に入る。第２の記録方式再生制御信号２４により、再生信号切換部５と第１の記録方式再生部３では被周波数変調輝度信号を輝度信号に復調し、低域変換色信号を搬送色信号に逆変換し、輝度信号と搬送色信号を出力する。そして、入力信号が第１の記録方式によるものであるため、スイッチ群１０５はそれぞれ端子ａ側に接続されており、ノイズリダクション部１０６に入力されることになる。ノイズリダクション部１０６では所定のノイズ除去処理が施され、スイッチ群１０５を介して、ディスク記録再生部２５と第１のＹＣ−ＭＩＸ部１５に供給する。
【００４４】
第１のＹＣ−ＭＩＸ部１５は輝度信号と搬送色信号を混合し複合映像信号切換部１７に供給する。また、第１の記録方式と第２の記録方式の再生信号切換部５の出力の搬送色信号は搬送色信号切換部１９に供給され、第１の記録方式と第２の記録方式の再生信号切換部５の出力の輝度信号は輝度信号切換部２１に供給する。
【００４５】
再生信号切換部５からディスク記録再生部２５に入力された輝度信号と搬送色信号はＡＤ部７に供給する。ＡＤ部７では、輝度信号と搬送色信号をデジタルデータに変換し第１のノイズリダクション部１０８に供給する。第１のノイズリダクション部１０８では、輝度信号と色信号のノイズを抑圧しＴＢＣ部９に供給する。ＴＢＣ部９では、輝度信号の時間軸変動を抑圧しＭＰＥＧエンコーダ部１０とＮＴＳＣ／ＰＡＬエンコーダ部１４に供給する。ＭＰＥＧエンコーダ部１０では、ビデオデータをＭＰＥＧのビデオ圧縮データに変換しストリームコントローラ部１１に供給する。ストリームコントローラ部１１では、記録されるビデオ圧縮データを含むビデオストリームを制御し、ＤＶＤドライブに供給しＤＶＤに記録している。
【００４６】
一方、ＮＴＳＣ方式／ＰＡＬ方式エンコーダ部１４では、ＴＢＣ部９の出力のデジタルビデオデータをＮＴＳＣ方式あるいはＰＡＬ方式のアナログ輝度信号と搬送色信号に変換され第２のＹＣ−ＭＩＸ部１６、搬送色信号切換部１９と輝度信号切換部２１に供給される。複合映像信号切換部１７では、第１の記録方式を再生しているため第２の記録方式再生制御信号２４により、ａ端子を選択し出力し、搬送色信号切換部１９では、第１の記録方式を再生しているため第２の記録方式再生制御信号２４により、ａ端子を選択し出力し、輝度信号切換部２１では、第１の記録方式を再生しているため第２の記録方式再生制御信号２４により、ａ端子を選択し出力する。
【００４７】
次に、第２の記録方式（Ｓ−ＶＨＳ方式）で記録されたテープを再生し、その再生信号をＤＶＤへの記録する場合とその再生信号を出力する場合について説明する。
【００４８】
まず、ビデオヘッドから再生された被周波数変調輝度信号と低域変換色信号との周波数分割多重信号は入力端子１に入る。第２の記録方式再生制御信号２４により、第１の記録方式と第２の記録方式の再生信号切換部５と第２の記録方式再生部４では被周波数変調輝度信号を輝度信号に復調し、低域変換色信号を搬送色信号に逆変換し、輝度信号と搬送色信号が出力される。そして、入力信号が第２の記録方式によるものであるため、スイッチ群１０５はそれぞれ端子ｂ側に接続されており、ノイズリダクション部１０６には入力されず、スイッチ群１０５を介して、ディスク記録再生部２５と第１のＹＣ−ＭＩＸ部１５に供給する。
【００４９】
第１のＹＣ−ＭＩＸ部１５は輝度信号と搬送色信号を混合し複合映像信号切換部１７に供給する。また、第１の記録方式と第２の記録方式の再生信号切換部５の出力の搬送色信号は搬送色信号切換部１９に供給され、第１の記録方式と第２の記録方式の再生信号切換部５の出力の輝度信号は輝度信号切換部２１に供給する。ディスク記録再生部２５に入力された輝度信号と搬送色信号はＡＤ部７に供給する。ＡＤ部７では、輝度信号と搬送色信号をデジタルデータに変換し第１のノイズリダクション部１０８に供給する。第１のノイズリダクション部１０８では、輝度信号と色信号のノイズを抑圧しＴＢＣ部９に供給する。ＴＢＣ部９では、輝度信号の時間軸変動を抑圧しＭＰＥＧエンコーダ部１０とＮＴＳＣ／ＰＡＬエンコーダ部１４に供給する。ＭＰＥＧエンコーダ部１０では、ビデオデータをＭＰＥＧのビデオ圧縮データに変換しストリームコントローラ部１１に供給する。ストリームコントローラ部１１では、記録されるビデオ圧縮データを含むビデオストリームを制御し、ＤＶＤドライブに供給しＤＶＤに記録している。
【００５０】
一方、ＮＴＳＣ方式／ＰＡＬ方式エンコーダ部１４では、ＴＢＣ部９の出力のデジタルビデオデータをＮＴＳＣ方式あるいはＰＡＬ方式のアナログ輝度信号と搬送色信号に変換され第２のＹＣ−ＭＩＸ部１６、搬送色信号切換部１９と輝度信号切換部２１に供給される。複合映像信号切換部１７では、第２の記録方式を再生しているため第２の記録方式再生制御信号２４により、ｂ端子を選択し出力し、搬送色信号切換部１９では、第２の記録方式を再生しているため第２の記録方式再生制御信号２４により、ｂ端子を選択し出力し、輝度信号切換部２１では、第２の記録方式を再生しているため第２の記録方式再生制御信号２４により、ｂ端子を選択し出力する。
【００５１】
以上のように本実施の形態によれば、磁気記録再生部で第２の記録方式で記録されたテープを再生し、その再生信号をＤＶＤに記録する場合、第２の記録方式で記録されたテープから再生した輝度信号と搬送色信号を出力する輝度信号出力切換部、搬送色信号切換部、複合映像信号切換部をディスク記録再生部の出力の輝度信号、搬送色信号とその輝度信号と搬送色信号を混合した複合映像信号側に固定して出力することにより、再生した輝度信号と搬送色信号の出力に必要とするノイズリダクションを削除し、ディスク記録再生部に有するノイズリダクション部だけでノイズを抑圧してＤＶＤに記録できる。これにより、従来のように二重ノイズリダクションによる、信号劣化を防止することができる。
【産業上の利用可能性】
【００５２】
本発明の映像信号記録再生装置は、磁気記録再生装置とＤＶＤの記録再生装置とのダビングに関するものとして説明してきたが、磁気記録再生装置とＨＤＤの記録再生装置とのダビングにも利用することができる。
【図面の簡単な説明】
【００５３】
【図１】本発明の実施の形態１に於ける磁気記録再生装置とＤＶＤ記録再生装置とが融合するの映像信号記録再生装置での実施方法を示したブロック図
【図２】従来の磁気記録再生装置とＤＶＤ記録再生装置とが融合する映像信号記録再生装置を示すブロック図
【図３】本発明の実施の形態２に於ける磁気記録再生装置とＤＶＤ記録再生装置とが融合するの映像信号記録再生装置での実施方法を示したブロック図
【符号の説明】
【００５４】
２    磁気記録信号再生部
３    第１の記録方式再生部
４    第２の記録方式再生部
５    第１の記録方式と第２の記録方式の再生信号切換部
６    第２のノイズリダクション部
７    ＡＤ部
８    第１のノイズリダクション部
９    ＴＢＣ部
１０    ＭＰＥＧエンコーダ部
１１    ストリームコントローラ部
１３    ＭＰＥＧデコーダ部
１４    ＮＴＳＣ／ＰＡＬエンコーダ部
１５    第１のＹＣ−ＭＩＸ部
１６    第２のＹＣ−ＭＩＸ部
１７    複合映像信号切換部
１９    搬送色信号切換部
２１    輝度信号切換部
２５    ディスク記録再生部
【図１】
2005311425.tif 000003
【図２】
2005311425.tif 000004
【図３】
2005311425.tif 000005